【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
情報蓄積手段に蓄積されている画像、音声、テキストデータの少なくとも１つからなる複数の情報に対して、予め設定された情報の分類表を参照して前記情報のカテゴリーもしくは特徴を表す分類情報を前記情報に付加し、前記付加された分類情報に基づいて各情報を所定の容量になるまで加算し、前記所定の容量以内の単位にして送信することを特徴とする情報送信方法。
【請求項２】
情報蓄積手段に蓄積されている画像、音声、テキストデータの少なくとも１つからなる複数の情報に対して、予め設定された情報の分類表を参照して前記情報のカテゴリーもしくは特徴を表す分類情報を付加する分類情報付加手段と、前記付加された分類情報に基づいて前記各情報を所定の容量になるまで加算することにより、前記情報蓄積手段に蓄積されている情報を前記所定の容量以内の単位に分割する情報分割手段と、前記情報分割手段により分割した情報を送信する情報送信手段とを備えたことを特徴とする情報送信装置。
【請求項３】
情報にテキスト情報が含まれる場合に、前記テキスト情報で用いられている単語を抽出し、前記単語に基づいて前記情報のカテゴリーもしくは特徴を表す分類情報を自動的に付加することを特徴とする請求項１記載の情報送信方法。
【請求項４】
情報に含まれるテキスト情報から単語を抽出する単語抽出手段を有し、前記情報にテキスト情報が含まれる場合に、前記単語抽出手段は、前記テキスト情報から単語を抽出し、前記分類情報付加手段は、前記抽出した単語を利用して前記情報のカテゴリーもしくは特徴を表す分類情報を自動的に付加する請求項２記載の情報送信装置。
【請求項５】
情報蓄積手段に蓄積されている画像、音声、テキストデータの少なくとも１つからなる複数の情報に対して、画像、音声、テキストデータの少なくとも１つからなる情報を予め階層化分類した階層構造情報として記憶する階層構造情報記憶手段から取得した階層構造情報に基づいて上位の階層に位置する情報から順に前記情報の合計容量を計算し、前記計算に基づいて前記情報を所定の容量以内の単位にして各情報を送信することを特徴とする情報送信方法。
【請求項６】
情報蓄積手段に蓄積されている画像、音声、テキストデータの少なくとも１つからなる複数の情報を取得する手段と、前記取得した情報に対して画像、音声、テキストデータの少なくとも１つからなる情報を予め階層化分類した階層構造情報として記憶する階層構造情報記憶手段から取得した階層構造情報に基づいて上位の階層に位置する情報から順に前記情報の合計容量を計算する情報容量計算手段と、前記情報容量計算手段の計算に基づいて前記情報蓄積手段に蓄積されている情報を所定の容量以内の単位に分割する情報分割手段と、前記分割した情報を送信する情報送信手段とを備えたことを特徴とする情報送信装置。
【請求項７】
情報分割手段により分割する容量単位は、情報送信手段により送信された情報を受信可能な情報受信装置が受信できる容量である請求項２記載の情報送信装置。
【請求項８】
情報蓄積手段に蓄積されている画像、音声、テキストデータの少なくとも１つからなる複数の情報に対して、予め設定された情報の分類表を参照して前記情報のカテゴリーもしくは特徴を表す分類情報を前記情報に付加し、前記付加された分類情報に基づいて各情報を所定の容量になるまで加算し、前記所定の容量以内の単位にして送信された情報と、前記分類情報とを受信し、優先度記憶手段に記憶された予め決定された前記分類情報の優先度と前記受信した分類情報とに基づいて各情報の優先度を決定して、定められた閾値以上の優先度の情報のみを情報蓄積手段に蓄積することを特徴とする情報受信方法。
【請求項９】
請求項２記載の情報送信装置から送信された画像、音声、テキストデータの少なくとも１つからなる情報を受信する情報受信手段と、請求項１記載の情報送信装置の分類情報付加手段により付与された前記分類情報を前記情報送信装置から受信する分類情報受信手段と、前記受信した分類情報を蓄積する分類情報蓄積手段と、予め決定された前記分類情報の優先度を記憶する優先度記憶手段と、前記分類情報受信手段にて受信した前記情報の分類情報と前記優先度記憶手段により記憶した分類情報の優先度とに基づいて前記情報受信手段により受信した各情報の優先度を比較する優先度比較手段を有し、前記優先度比較手段にて比較した結果に基づいて予め定められた閾値以上の優先度を持つ情報のみ蓄積する情報蓄積手段とを備えたことを特徴とする情報受信装置。
【請求項１０】
情報蓄積手段の空き容量を調べ、前記情報蓄積手段に受信した新たな情報が蓄積できるか判断する手段を有し、前記手段により情報蓄積手段に蓄積できないと判断した場合、既に前記情報蓄積手段に受信蓄積した情報の優先度と新たに受信した情報の優先度とを優先度比較手段で比較し、新たに受信した情報の優先度が、既に受信した情報の優先度よりも高い場合、既に受信した優先度の低い情報の容量の合計を計算し、前記計算した容量が新たに受信した情報の容量よりも大きい場合、前記既に受信した優先度の低い情報を情報蓄積手段から削除し、新たな情報の受信及び蓄積を行う請求項９記載の情報受信装置。
【請求項１１】
利用者の前記情報の閲覧情報を蓄積する閲覧情報記憶手段を有し、既に受信した情報の優先度を前記閲覧情報記憶手段に記憶される閲覧情報に基づいて再設定することを特徴とする請求項８記載の情報受信方法。
【請求項１２】
利用者の前記情報の閲覧情報を蓄積する閲覧情報記憶手段を有し、既に受信した情報の優先度を前記閲覧情報記憶手段に記憶される閲覧情報に基づいて再設定する請求項１０記載の情報受信装置。
【手続補正２】
【補正対象書類名】明細書
【補正対象項目名】００１４
【補正方法】変更
【補正の内容】
【００１４】
【課題を解決するための手段】
上記課題を解決するため、本発明は、情報蓄積手段に蓄積されている画像、音声、テキストデータの少なくとも１つからなる複数の情報に対して、予め設定された情報の分類表を参照して前記情報のカテゴリーもしくは特徴を表す分類情報を付加する分類情報付加手段と、前記付加された分類情報に基づいて前記各情報を所定の容量になるまで加算することにより、前記情報蓄積手段に蓄積されている情報を前記所定の容量以内の単位に分割する情報分割手段と、前記情報分割手段により分割した情報を送信する情報送信手段とを備える。
【手続補正３】
【補正対象書類名】明細書
【補正対象項目名】００１６
【補正方法】変更
【補正の内容】
【００１６】
また、本発明は、情報蓄積手段に蓄積されている画像、音声、テキストデータの少なくとも１つからなる複数の情報を取得する手段と、前記取得した情報に対して画像、音声、テキストデータの少なくとも１つからなる情報を予め階層化分類した階層構造情報として記憶する階層構造情報記憶手段から取得した階層構造情報に基づいて上位の階層に位置する情報から順に前記情報の合計容量を計算する情報容量計算手段と、前記情報容量計算手段の計算に基づいて前記情報蓄積手段に蓄積されている情報を所定の容量以内の単位に分割する情報分割手段と、前記分割した情報を送信する情報送信手段とを備える。
【手続補正４】
【補正対象書類名】明細書
【補正対象項目名】００１８
【補正方法】変更
【補正の内容】
【００１８】
また、この発明に係る情報受信装置では、情報送信装置から送信された画像、音声、テキストデータの少なくとも１つからなる情報を受信する情報受信手段と、分類情報付加手段により付与された前記分類情報を前記情報送信装置から受信する分類情報受信手段と、前記受信した分類情報を蓄積する分類情報蓄積手段と、予め決定された前記分類情報の優先度を記憶する優先度記憶手段と、前記分類情報受信手段にて受信した前記情報の分類情報と前記優先度記憶手段により記憶した分類情報の優先度とに基づいて前記情報受信手段により受信した各情報の優先度を比較する優先度比較手段を有し、前記優先度比較手段にて比較した結果に基づいて予め定められた閾値以上の優先度を持つ情報のみ蓄積する情報蓄積手段とを備える。
【手続補正５】
【補正対象書類名】明細書
【補正対象項目名】００２０
【補正方法】変更
【補正の内容】
【００２０】
さらに、好ましくは、利用者の前記情報の閲覧情報を蓄積する閲覧情報記憶手段を有し、既に受信した情報の優先度を前記閲覧情報記憶手段に記憶される閲覧情報に基づいて再設定する。